(57)【要約】【課題】正解画像を有するジョブに画像を挿入した際に、正解となる画像を得ることを可能にする。【解決手段】画像形成処理装置は、正解画像を用いたジョブに挿入される画像の挿入箇所を受け付ける受付部と、記録媒体への画像の印刷を制御する制御部を備え、制御部は、ジョブに挿入される画像を取得し、受付部による挿入箇所の情報を取得することができ、画像が挿入されたジョブにおいて正解とされる画像が必要な場合、挿入対象の画像のみを記録媒体に印刷する制御を行い、挿入対象の画像が印刷された記録媒体を読み取った読取画像を取得してジョブの挿入箇所に読取画像を登録する制御を行う。【選択図】図５Ｃ
2019136938.tif 000002
【特許請求の範囲】
【請求項１】
正解画像を用いたジョブに挿入される画像の挿入箇所を受け付ける受付部と、
記録媒体への画像の印刷を制御する制御部と、を備え、
前記制御部は、前記ジョブに挿入される画像を取得し、前記受付部による挿入箇所の情報を取得することができ、画像が挿入されたジョブにおいて正解とされる画像が必要な場合、挿入対象の画像のみを記録媒体に印刷する制御を行い、挿入対象の画像が印刷された記録媒体を読み取った読取画像を取得して前記ジョブの前記挿入箇所に前記読取画像を登録する制御を行う画像形成処理装置。
【請求項２】
前記受付部は、正解画像を用いたジョブ中から削除される画像の削除箇所の受け付けが可能であり、
前記制御部は、画像が挿入および削除されたジョブにおいて正解とされる画像が必要な場合、前記ジョブの前記削除箇所の画像を削除して登録する制御を行う請求項１記載の画像形成処理装置。
【請求項３】
前記正解画像が、ジョブのプルーフ印刷における記録媒体を読み取った読取画像であって、読取画像の良否判定で正常であると判定されたものである請求項１または２に記載の画像形成処理装置。
【請求項４】
前記ジョブに挿入される画像を記憶する記憶部を有する請求項１〜３のいずれか１項に記載の画像形成処理装置。
【請求項５】
前記記憶部は、前記ジョブの正解画像を記憶する請求項４記載の画像形成処理装置。
【請求項６】
前記制御部は、少なくとも前記挿入箇所に前記読取画像が挿入された新たなジョブによって本印刷を行う際に、本印刷がされた記録媒体を読み取った読取画像を取得し、前記新たなジョブの画像と本印刷における前記読取画像とを比較して、印刷された画像が正常であるかを判定可能である請求項１〜５のいずれか１項に記載の画像形成処理装置。
【請求項７】
前記新たなジョブは、削除箇所で画像が削除されたものである請求項６記載の画像形成処理装置。
【請求項８】
前記制御部は、前記挿入箇所に前記読取画像が登録された画像を新たなジョブにおける正解画像とする請求項１〜７のいずれか１項に記載の画像形成処理装置。
【請求項９】
前記制御部は、挿入対象の画像が印刷された記録媒体を読み取った読取画像と、挿入対象の画像とを比較して画像の良否を判定し、画像が正常である場合にのみ、前記ジョブの前記挿入箇所に前記読取画像を登録する制御を行う請求項１〜８のいずれか１項に記載の画像形成処理装置。
【請求項１０】
挿入対象の画像を良否判定した結果、異常と判定された場合は、挿入対象の画像についてリカバリ印刷を行う請求項１〜９のいずれか１項に記載の画像形成処理装置。
【請求項１１】
前記制御部は、挿入対象の画像の印刷後、挿入画像を新たなジョブにおける正解画像として確定するかを選択可能にする請求項１〜１０のいずれか１項に記載の画像形成処理装置。
【請求項１２】
前記制御部は、挿入画像を新たなジョブにおける正解画像として確定することが選択された場合のみ、新たなジョブにおける正解画像として登録する請求項１１記載の画像形成処理装置。
【請求項１３】
前記制御部は、挿入対象画像を挿入した新たなジョブを、先のジョブに上書きで登録するか、新規に登録するかを選択可能にする請求項１〜１２のいずれか１項に記載の画像形成処理装置。
【請求項１４】
挿入箇所を指定した箇所が存在しない場合は、エラーを報知する請求項１〜１３のいずれか１項に記載の画像形成処理装置。
【請求項１５】
記録媒体に画像を印刷する画像形成部を備える請求項１〜１４のいずれか１項に記載の画像形成処理装置。
【請求項１６】
正解画像を用いたジョブに挿入される画像の挿入箇所を受け付けるステップと、
前記ジョブに挿入される画像を取得するステップと。
挿入対象の画像のみを記録媒体に印刷する制御を行うステップと、
挿入対象の画像が印刷された記録媒体を読み取った読取画像を取得するステップと、
前記ジョブの前記挿入箇所に前記読取画像を登録する制御を行うステップと、を有する画像形成処理方法。
【請求項１７】
画像形成処理装置の制御部で実行されるプログラムであって、
前記プログラムは、前記制御部に、
正解画像を用いたジョブに挿入される画像の挿入箇所を受け付け、
前記ジョブに挿入される画像を取得し。
挿入対象の画像のみを記録媒体に印刷する制御を行い、
挿入対象の画像が印刷された記録媒体を読み取った読取画像を取得し、
前記ジョブの前記挿入箇所に前記読取画像を登録する制御を行うことを実行させる画像形成処理プログラム。
【発明の詳細な説明】
【技術分野】
【０００１】
この発明は、記録媒体上の画像を読み取った読取画像と比較して画像の良否判定に使用する正解画像を扱うことができる画像形成処理装置、画像形成処理方法および画像形成処理プログラムに関する。
【背景技術】
【０００２】
近年、電子写真方式の画像形成装置の分野では、画像検査装置を画像形成装置に装着したり、画像形成装置の後段に配置したりして、画像形成装置で印刷した印刷物の画像が正常であるかを判定する技術が知られている。
例えば、特許文献１では、画像形成部により画像が形成された用紙面を読み取って、スキャン画像を生成し、このスキャン画像と正解画像とを比較して印刷された画像が正常であるかを判定することができる画像形成装置が開示されている。
【０００３】
また、画像形成装置では、一度印刷したジョブを再度印刷する再印刷機能を有するものが提案されている。例えば、特許文献２では、印刷実行されたジョブの画像を基準画像（正解画像）として、印刷実行したジョブと関連付けて保存しておき、前記ジョブを再版印刷（再印刷機能に相当する）する際は、保存された前記正解画像と関連付けたジョブを指定することで、再版印刷時に正解画像ジョブを作る工程を省略する技術が開示されている。
【先行技術文献】
【特許文献】
【０００４】
【特許文献１】特開２０１６−１４６５１４号公報
【特許文献２】特開２０１４−１４６８５９号公報
【発明の概要】
【発明が解決しようとする課題】
【０００５】
ところで、ジョブの再印刷を行いたい場合、一度印刷したジョブから、画像の一部分だけを変更したい場合や、ページの追加や削除をしてジョブを出力したい場合がある。
この場合、特許文献２のような従来技術では、過去に作成した正解画像ジョブを利用することができず、正解画像ジョブを作るために再度全ページを印刷し、正解画像ジョブを作り直す必要があり、効率が悪いという問題がある。
【０００６】
本発明は上記課題を背景としてなされたものであり、正解画像を編集可能にして、編集した画像に基づいて新たな正解画像を得ることができる画像形成処理装置、画像形成処理方法および画像形成処理プログラムを提供することを目的とする。
【課題を解決するための手段】
【０００７】
すなわち、本発明の画像形成処理装置のうち、第１の形態は、正解画像を用いたジョブに挿入される画像の挿入箇所を受け付ける受付部と、
記録媒体への画像の印刷を制御する制御部と、を備え、
前記制御部は、前記ジョブに挿入される画像を取得し、前記受付部による挿入箇所の情報を取得することができ、画像が挿入されたジョブにおいて正解とされる画像が必要な場合、挿入対象の画像のみを記録媒体に印刷する制御を行い、挿入対象の画像が印刷された記録媒体を読み取った読取画像を取得して前記ジョブの前記挿入箇所に前記読取画像を登録する制御を行う。
【０００８】
他の形態の画像形成処理装置の発明は、前記形態の本発明において、前記受付部は、正解画像を用いたジョブ中から削除される画像の削除箇所の受け付けが可能であり、
前記制御部は、画像が挿入および削除されたジョブにおいて正解とされる画像が必要な場合、前記ジョブの前記削除箇所の画像を削除して登録する制御を行う。
【０００９】
他の形態の画像形成処理装置の発明は、前記形態の本発明において、前記正解画像が、ジョブのプルーフ印刷における記録媒体を読み取った読取画像であって、読取画像の良否判定で正常であると判定されたものである。
【００１０】
他の形態の画像形成処理装置の発明は、前記形態の本発明において、前記ジョブに挿入される画像を記憶する記憶部を有する。
【００１１】
他の形態の画像形成処理装置の発明は、前記形態の本発明において、前記記憶部は、前記ジョブの正解画像を記憶する。
【００１２】
他の形態の画像形成処理装置の発明は、前記形態の本発明において、前記制御部は、少なくとも前記挿入箇所に前記読取画像が挿入された新たなジョブによって本印刷を行う際に、本印刷がされた記録媒体を読み取った読取画像を取得し、前記新たなジョブの画像と本印刷における前記読取画像とを比較して、印刷された画像が正常であるかを判定可能である。
【００１３】
他の形態の画像形成処理装置の発明は、前記形態の本発明において、前記新たなジョブは、削除箇所で画像が削除されたものである。
【００１４】
他の形態の画像形成処理装置の発明は、前記形態の本発明において、前記制御部は、前記挿入箇所に前記読取画像が登録された画像を新たなジョブにおける正解画像とする。
【００１５】
他の形態の画像形成処理装置の発明は、前記形態の本発明において、前記制御部は、挿入対象の画像が印刷された記録媒体を読み取った読取画像と、挿入対象の画像とを比較して画像の良否を判定し、画像が正常である場合にのみ、前記ジョブの前記挿入箇所に前記読取画像を登録する制御を行う。
【００１６】
他の形態の画像形成処理装置の発明は、前記形態の本発明において、挿入対象の画像を良否判定した結果、異常と判定された場合は、挿入対象の画像についてリカバリ印刷を行う。
【００１７】
他の形態の画像形成処理装置の発明は、前記形態の本発明において、前記制御部は、挿入対象の画像の印刷後、挿入画像を新たなジョブにおける正解画像として確定するかを選択可能にする。
【００１８】
他の形態の画像形成処理装置の発明は、前記形態の本発明において、前記制御部は、挿入画像を新たなジョブにおける正解画像として確定することが選択された場合のみ、新たなジョブにおける正解画像として登録する。
【００１９】
他の形態の画像形成処理装置の発明は、前記形態の本発明において、前記制御部は、挿入対象画像を挿入した新たなジョブを、先のジョブに上書きで登録するか、新規に登録するかを選択可能にする。
【００２０】
他の形態の画像形成処理装置の発明は、前記形態の本発明において、挿入箇所を指定した箇所が存在しない場合は、エラーを報知する。
【００２１】
他の形態の画像形成処理装置の発明は、前記形態の本発明において、記録媒体に画像を印刷する画像形成部を備える。
【００２２】
本発明の画像形成処理方法の発明のうち、第１の形態は、正解画像を用いたジョブに挿入される画像の挿入箇所を受け付けるステップと、
前記ジョブに挿入される画像を取得するステップと。
挿入対象の画像のみを記録媒体に印刷する制御を行うステップと、
挿入対象の画像が印刷された記録媒体を読み取った読取画像を取得するステップと、
前記ジョブの前記挿入箇所に前記読取画像を登録する制御を行うステップと、を有する。
【００２３】
本発明の画像形成処理プログラムのうち、第１の形態は、画像形成処理装置の制御部で実行されるプログラムであって、
前記プログラムは、前記制御部に、
正解画像を用いたジョブに挿入される画像の挿入箇所を受け付け、
前記ジョブに挿入される画像を取得し。
挿入対象の画像のみを記録媒体に印刷する制御を行い、
挿入対象の画像が印刷された記録媒体を読み取った読取画像を取得し、
前記ジョブの前記挿入箇所に前記読取画像を登録する制御を行うことを実行させる。
【発明の効果】
【００２４】
本発明によれば、正解画像を編集して、編集した画像に基づいて新たな正解画像を容易に得ることができる。
【図面の簡単な説明】
【００２５】
【図１】本発明の一実施形態の画像形成装置の概略を示す図である。
【図２】同じく、機械的構成を示す図である。
【図３】同じく、制御ブロックを示す図である。
【図４】従来の画像形成装置において、正解画像を用いた再版印刷での課題を説明する図である。
【図５Ａ】本発明の一実施形態におけるプルーフモードにおける印刷処理の手順を示すフローチャートである。
【図５Ｂ】同じく、本印刷の際の印刷処理の手順を示すフローチャートである。
【図５Ｃ】同じく、再版印刷におけるプルーフモードでの印刷処理の手順を示すフローチャートである。
【図５Ｄ】同じく、再版印刷での本印刷の印刷処理の手順を示すフローチャートである。
【図６】同じく、画像形成処理を行う機能ブロックを示す図である。
【図７】同じく、画像形成処理を行う機能ブロックにおいて、外部から挿入画像を入力して画像形成処理を行う動作を説明する図である。
【図８】同じく、画像形成処理を行う機能ブロックにおいて、装置内部の画像を挿入対象の画像とする画像形成処理を行う動作を説明する図である。
【図９】同じく、再版プルーフ印刷時の画像の登録、比較を説明する図である。
【図１０】同じく、印刷設定画面を示す図である。
【図１１】同じく、再版プルーフ印刷時の印刷シート設定画面を示す図である。
【図１２】同じく、再版プルーフ印刷時の正解画像、差し替え画像、出力画像、差し替え後の正解画像を説明する図である。
【図１３】同じく、画像検査結果の表示する画面を示す図である。
【図１４】同じく、画像を挿入したジョブの差し替え方法の設定画面を示す図である。
【図１５】同じく、画像を挿入したジョブについて再版プルーフ印刷の際に、元のジョブを、上書き登録する場合と、新規登録する場合とを示す図である。
【図１６】同じく、再版プルーフ印刷時におけるリカバリ印刷動作を示す図である。
【図１７】同じく、プリントコントローラーからの指示に基づく再版プルーフ印刷の動作手順を示すフローチャートである。
【図１８】同じく、操作部からの指示に基づく再版プルーフ印刷の動作手順を示すフローチャートである。
【発明を実施するための形態】
【００２６】
以下に、画像形成装置を添付図に基づいて説明する。この形態では、画像形成装置は、本発明の画像形成処理装置に相当している。
画像形成装置１は、図１に示すように、画像形成を行う装置本体１０を備えており、装置本体１０の前段側に給紙装置４０、装置本体１０の後段側に読取装置２０を有し、読取装置２０の後段側には排紙装置３０を有している。各装置および装置本体は、電気的および機械的に接続されており、装置および装置本体間での通信および用紙の搬送が可能になっている。
また、画像形成装置１には、ＬＡＮ３を介して外部装置５などが接続されている。なお、画像形成装置１と外部の装置などの接続は、ＬＡＮ以外のネットワークを用いることも可能であり、特定のものに限定されるものではなく、有線、無線を問わず、例えば、ＷＡＮなどを用いるものであってもよい。
【００２７】
給紙装置４０は、用紙を収納する複数の給紙段を備えており、給紙段に収納されている用紙は、後段の装置本体１０に供給可能となっている。用紙は、本発明の記録媒体に相当する。なお、本発明としては、記録媒体の材質は紙に限定されるものではなく、布やプラスチックなどからなるものであってもよい。
【００２８】
装置本体１０は、図２に示すように、筺体内の下部側に、複数の給紙トレイを備えた本体給紙部１２が配置されており、本体給紙部１２の各給紙トレイに用紙が収納される。用紙は、本発明の記録媒体に相当し、紙に限定されるものではなく、布やプラスチックからなるものであってもよい。
装置本体１０の筺体内には、上流側で給紙装置４０に接続され、下流側で読取装置２０に接続される搬送路１３が設けられている。搬送路１３には、さらに本体給紙部１２が接続されており、給紙装置４０または本体給紙部１２から供給される用紙を搬送路１３に沿って下流側に搬送することができる。
【００２９】
搬送路１３の中途付近には、用紙に画像を形成する画像形成部１１が設けられている。
画像形成部１１は、各色用（シアン、マゼンタ、イエロー、ブラック）用の感光体１１ａを有しており、感光体１１ａの周囲には、図示しない、帯電器、ＬＤ（レーザダイオード）、現像器、クリーニング部等が備えられている。また、画像形成部１１は、各色用の感光体１１ａと接触する位置に、中間転写ベルト１１ｂを有している。中間転写ベルト１１ｂは、その途中に設けられた二次転写部１１ｃにおいて搬送路１３上の用紙と接触する。
また、搬送路１３では、二次転写部１１ｃよりも下流側の位置に、用紙に画像を定着する定着器１１ｄが備えられている。
【００３０】
用紙に画像を形成する場合、帯電器によって感光体１１ａが一様に帯電された後に、感光体１１ａに対し、ＬＤからレーザー光が照射されて、感光体１１ａ上に潜像が形成される。感光体１１ａ上の潜像は、現像器によって現像されてトナー像となり、感光体１１ａ上のトナー像は中間転写ベルト１１ｂに転写され、中間転写ベルト１１ｂ上の画像は、二次転写部１１ｃにおいて用紙に転写される。画像が形成されて搬送路１３に沿って搬送される用紙は、定着器１１ｄによって画像の定着が行われる。
なお、この実施形態では、画像形成部１１は、多色で画像形成を行うものとして説明したが、本発明としては、画像形成部１１は、黒色のモノクロや単色で画像形成を行うものであってもよい。
【００３１】
また、搬送路１３は、定着器１１ｄの下流側で、反転搬送路１５が分岐している。反転搬送路１５の途中には、下流搬送路１６が分岐して、反転搬送路１５の分岐地点よりも下流側で搬送路１３に接続されている。反転搬送路１５では、下流搬送路１６が分岐した地点よりも下流側で退避搬送路１７が分岐している。反転搬送路１５の下流端は、画像形成部１１よりも上流側の位置で搬送路１３に合流している。搬送路１３は、ストレート方向において後段に接続された読取装置２０の搬送路２３に接続されている。
【００３２】
用紙の片面に画像形成を行う場合、画像形成後の用紙は、そのまま搬送路１３をストレートに搬送されて読取装置２０の搬送路２３へ搬送される。
画像形成後に用紙のフェイス面の切り替えを行う場合は、用紙を反転搬送路１５に搬送し、下流搬送路１６の分岐点を超えて搬送した後、反転搬送路１５を逆方向に搬送し、下流搬送路１６を通って搬送路１３の下流側に搬送する。
用紙を反転して用紙の裏面に画像を形成する場合、用紙を搬送路１３から反転搬送路１５に送り、退避搬送路１７に送った後、用紙の先後を変えて反転搬送路１５の下流側に送り、搬送路１３に環流する。この際に、用紙の表裏が反転される。その後、画像形成部１１において用紙の裏面側への画像形成が行われる。
【００３３】
また、装置本体１０には、筺体の上部に操作部１４０が備えられている。操作部１４０は、タッチパネルを供えたＬＣＤ１４１と、テンキー等の操作キー群とを有しており、情報の表示および操作入力の受付が可能となっている。この形態では、操作部１４０は、表示部と操作部とを兼ねている。
なお、この実施形態では、操作部１４０は操作部と表示部とが一体となっているが、操作部と表示部とが一体となっていないものでもよく、例えば、操作部をマウスやタブレット、端末等によって構成してもよい。また、ＬＣＤ１４１は移動可能となっているものであってもよい。
【００３４】
さらに、装置本体１０の筺体の上部には、操作部１４０が位置しない場所に、自動原稿給送装置（ＡＤＦ）１８が備えられている。自動原稿給送装置（ＡＤＦ）１８は、原稿載置台にセットされた原稿を自動で給送するものであり、自動原稿給送装置（ＡＤＦ）１８で給送される原稿は、図３で示されるスキャナー部１３０によって読み取られる。
なお、原稿の読み取りは図示しないプラテンガラス上で行うことも可能である。
また、スキャナー部１３０では、画像形成装置１から出力された印刷物をセットして読み取りを行うことも可能である。例えば、画像形成装置１で出力された用紙をセットして読み取りを行い、用紙に形成された画像の読み取りを行うこともできる。この場合、スキャナー部１３０は、画像読取部に相当する。
【００３５】
また、装置本体１０は、画像制御部１００を有している。画像制御部１００は、画像形成装置１全体を制御するものであり、ＣＰＵやＣＰＵで動作するプログラム、メモリなどによって構成することができる。なお、画像制御部１００は、装置本体外に設けられているものであってもよい。
【００３６】
読取装置２０は、搬送路２３を有しており、装置本体１０から導入される用紙が搬送路２３に沿って搬送される。搬送路２３の下流側は、後段の排紙装置３０に接続されている。
搬送路２３の中途付近には、搬送路２３で搬送される用紙の下面の画像の読み取りを行う画像読取部２４と、用紙の上面の画像の読み取りを行う画像読取部２５が備えられており、画像読取部２４は、画像読取部２５よりも用紙搬送方向の上流側に位置している。
画像読取部２４、２５は、ＣＣＤセンサやＣＭＯＳセンサ等によって構成することができ、搬送路２３で搬送される用紙の画像を、搬送方向と交差する方向全体に亘って読み取りを行うことができる。画像読取部２４、２５で読み取られた読取結果は、読取装置２０に備える読取制御部２００に送信される。読取制御部２００は、ＣＰＵやＣＰＵで動作するプログラム、メモリなどによって構成することができる。なお、読取制御部２００は、装置本体外に設けられるものであってもよい。読取結果は、読取画像として画像制御部１００に送信される。また、読取制御部２００を介することなく読取結果を画像制御部１００に送信するものであってもよい。
【００３７】
なお、上記説明では、二つの画像読取部で用紙の表裏の画像を読み取るものとしたが、その数は特に限定されるものではなく、一つであっても良い。画像読取部の前後に反転搬送路を設け、反転搬送路を用いて用紙の反転搬送を行うことで、表裏の画像の読み取り行うものであってもよい。
【００３８】
この実施形態では、読取装置が装置本体にインラインで機械的に接続されているものとして説明しているが、装置本体内に読取装置を備えるものでもよい。また、読取装置が画像形成装置に機械的に接続されていないものであってもよく、読取結果は通信線やネットワークで接続して画像制御部に送信するようにしてもよい。
【００３９】
読取制御部２００では、画像制御部１００で画像検査を行う場合は、読取画像を画像制御部１００に転送する。また、読取制御部２００で読取画像を用いて画像検査を行うものとしてもよい。
画像検査では、少なくとも、画像読取部で読み取られた読取画像と、予め用意された正解画像とを比較することで、画像の良否判定を行うことができる。さらに、画像が不良と判定された場合には、ユーザーの確定を待って良否判定を確定させることができる。
また、画像検査では、プルーフ印刷時に画像読取部で読み取った画像を正解画像として記憶することができる。
【００４０】
読取装置２０を経た用紙は、排紙装置３０に搬送されて、所定の排紙先に排紙される。  排紙装置３０では、排紙先の切り替えが可能となっており、画像検査などによって用紙に異常が検知された場合に、用紙を正常な排紙とは区別して排紙するようにしてもよい。排紙の区別は異なる排紙先に排紙するものとしてもよく、また、同じ排紙先であっても排紙位置や向きなどを変えることで排紙の区別を行うものであってもよい。
排紙装置３０には、排紙制御部３００を備えており、画像制御部１００などの指令を受けて用紙の搬送や排紙先の切り替えなどを制御する。
【００４１】
この実施形態では、画像形成装置１は、給紙装置４０、装置本体１０、読取装置２０および排紙装置３０により構成されているものとしているが、本発明の画像形成装置を構成する装置の数や種類は上記に限定されるものではなく、装置本体１０のみによって画像形成装置１が構成されているものであってもよい。この場合、画像読取部は画像形成装置外に存在している。また、給紙装置４０、装置本体１０、読取装置２０および排紙装置３０の他に他の装置を備えるものであってもよい。例えば、複数の排紙装置を接続して排紙部の数を増やしたものであってもよく、読取装置の後段に後処理装置を設けて、用紙に対する後処理を可能としたものであってもよい。
【００４２】
画像形成装置には、後処理装置を備えることにより、印刷後の用紙に対し所定の後処理を行うようにしてもよい。後処理の内容は特に限定されるものではなく、パンチ、ステープル、冊子処理などの適宜の処理を行うことができ、複数の後処理を行うものであってもよい。
【００４３】
次に、画像形成装置１の機能ブロックを図３に基づいて説明する。
画像形成装置１は、制御ブロック部１１０とスキャナー部１３０と操作部１４０とプリンター部１５０とを備えるデジタルコピアと、画像処理部（プリント＆スキャナーコントローラー）１６０と、読取装置２０と、排紙装置３０とを有している。画像処理部（プリント＆スキャナーコントローラー）１６０は、外部装置５などから取得した画像データに対する処理を行う。
【００４４】
制御ブロック部１１０は、ＰＣＩバス１１２を有しており、ＰＣＩバス１１２に、ＤＲＡＭ制御ＩＣ１１１が接続され、ＤＲＡＭ制御ＩＣ１１１には、画像制御ＣＰＵ１１３が接続されている。
画像制御ＣＰＵ１１３には、不揮発メモリ１１５が接続されている。不揮発メモリ１１５には、画像制御ＣＰＵ１１３で実行されるプログラムや、機械設定情報等の設定データ、プロセス制御パラメータ、読取画像と正解画像との比較に基づいて画像の良否を判定するための基準等が格納されている。
【００４５】
画像制御ＣＰＵ１１３は、プログラムの実行によって画像形成装置１の全体の状態を把握し、画像形成装置１の制御を行うことが可能であり、用紙の搬送、画像形成等の動作や、画像形成用の画像データの処理、画像検査などの制御を行うことができる。
さらに画像制御ＣＰＵ１１３は、プログラムの実行によって、正解画像に画像を挿入したり、画像を削除したりして正解画像の編集が可能である。正解画像の編集に際しては、挿入対象の画像を挿入する箇所を受け付ける受付部から、挿入箇所の情報を取得することができる。画像制御ＣＰＵ１１３では、操作部を受付部として挿入対象の画像を挿入する箇所を受け付けるように制御することができる。したがって、上記動作を行う画像制御ＣＰＵ１１３はプログラムとともに、本発明の制御部として機能する。なお、挿入対象の画像を挿入する箇所の受け付けは、上記の他に、外部から挿入箇所の情報を受け付けたり、ジョブのチケットなどによって受け付けたりするようにしてもよく、制御部が受付部として機能するものであってもよい。
【００４６】
また、制御部では、正解画像に画像を挿入した場合に、挿入対象の画像のみを用紙に印刷する制御を行い、挿入対象の画像が印刷された記録媒体を読取装置２０で読み取るように制御することができる。制御部では、読取画像を取得して前記ジョブの前記挿入箇所に前記読取画像を登録する制御を行うことができる。
制御部では、用紙への印刷に先立って挿入対象の画像を取得することができる。挿入対象の画像は記憶部に格納することができ、格納は、不揮発の記憶部でもよく、また、揮発性の記憶部に格納するものであってもよい。また、ジョブの前記挿入箇所に前記読取画像を登録する場合、画像形成装置における記憶部などに格納されたジョブに対し、挿入画像と挿入箇所の情報を登録してもよく、画像形成装置外で登録されているジョブに対し、挿入画像と挿入箇所の情報を登録するように制御するものであってもよい。
この実施形態では、画像制御ＣＰＵ１１３と画像制御ＣＰＵ１１３で動作するプログラムによって、本発明の制御部が構成される。上記プログラムには、本発明のプログラムが含まれている。なお、プログラムは不揮発メモリ以外にＨＤＤなどに格納されているものとしてもよく、持ち運び可能な記憶媒体に格納されていてもよい。
【００４７】
上記制御部では、上述したように、画像形成処理装置の制御部としての機能を果たしており、この実施形態では、画像形成装置が画像形成処理装置としての機能を果たしている。ただし、本発明としては、画像形成処理装置が画像形成装置に限られるものではなく、画像形成部を備えない装置でもよく、例えば画像形成装置を管理する管理装置において画像形成処理装置として機能するものであってもよい。
【００４８】
画像制御ＣＰＵ１１３には、さらに、記憶部１２７が接続されている。
記憶部１２７はＲＡＭ、ＨＤＤ、ＳＳＤなどにより構成することができ、プログラムやパラメータ、画像データ、ジョブデータ、ジョブの出力履歴、出力済みジョブの印刷画像データや正解画像データ等の所望の情報を格納することができる。記憶部１２７は複数の装置を備えるものであってもよい。
【００４９】
画像制御ＣＰＵ１１３には、さらに、スキャナー部１３０のスキャナー制御部１３２がシリアル通信可能に接続されている。
スキャナー部１３０は、用紙上の画像を光学的に読み取るＣＣＤ１３１と、スキャナー部１３０全体を制御するスキャナー制御部１３２を備えている。スキャナー制御部１３２は、画像制御ＣＰＵ１１３による指示を受けてスキャナー部１３０の各部を制御する。スキャナー制御部１３２は、ＣＰＵや記憶部、ＣＰＵで動作するプログラム等によって構成される。ＣＣＤ１３１には読み取り処理部１１６が接続されている。
【００５０】
画像制御ＣＰＵ１１３には、さらに、操作部１４０の操作部制御部１４２がシリアル通信可能に接続されている。
操作部１４０は、タッチパネル式のＬＣＤ１４１と、操作部制御部１４２とを備えている。
タッチパネル式のＬＣＤ１４１では操作入力および情報の表示が可能である。操作部制御部１４２は、画像制御ＣＰＵ１１３の指示に基づき操作部１４０全体を制御するとともに、画像制御ＣＰＵ１１３に情報を送信することができる。操作部制御部１４２は、ＣＰＵや記憶部、ＣＰＵを動作させるプログラムなどによって構成することができる。
操作部１４０では、画像形成装置１における画像形成条件の設定や動作指令などの動作制御条件の入力が可能となっており、さらに設定内容、機械状態、情報の表示等が可能である。また、操作部１４０では、プルーフ印刷の実施有無の設定、画像検査における確定操作、ジョブの再出力指示、正解画像の挿入／削除の操作受け付けなどを行うことができる。
【００５１】
また、画像制御ＣＰＵ１１３では、画像読取部２４、２５で印刷物の読み取りを行って取得した読取画像と、予め用意した正解画像とを比較して、用紙上の画像の良否を判定することができる。画像の良否の判定は、パターンマッチング等の既知の手法によって行うことができ、例えば、比較結果の差分が所定値以上である場合に画像を不良と判定する。不良と判定された場合、不良の画像が印刷されている用紙を通常時とは区別して排紙する。画像検査時の正解画像としては、プルーフ印刷時に取得した読取画像を使用することができるほか、印刷画像データ（ＲＩＰ画像）を利用して判定を行うことも可能である。
【００５２】
画像制御ＣＰＵ１１３には、さらに、プリンター部１５０のプリンター制御部１５２がシリアル通信可能に接続されている。
プリンター部１５０は、ＬＤ１５１と、プリンター制御部１５２とを備えている。プリンター制御部１５２は画像制御ＣＰＵ１１３の指示に基づいてプリンター部１５０の全体を制御し、用紙の搬送や画像形成動作の制御を行う。プリンター部１５０には、画像形成部１１や搬送路１３、２３等が含まれる。
ＬＤ１５１は、各色用のＬＤを総称するものである。ＬＤ１５１は、書き込み処理部１２６で処理された画像データに基づいて感光体に潜像を形成し、画像形成が行われる。
【００５３】
また、ＤＲＡＭ制御ＩＣ１１１には、画像メモリ（ＤＲＡＭ）１２０が接続されている。
画像メモリ（ＤＲＡＭ）１２０は、スキャナー部１３０で取得した画像データやＬＡＮ３を通して取得した画像データを格納するものであり、圧縮された画像データを格納する圧縮メモリ１２１と、非圧縮の画像データを格納するページメモリ１２２とを備えている。
圧縮メモリ１２１には、外部から受信した画像データを圧縮したデータ等を格納することができ、ページメモリ１２２には、画像形成用に展開した画像データや、読取画像の良否の判定に用いる正解画像のデータなどを格納することができる。
画像メモリ（ＤＲＡＭ）１２０には、出力するジョブの画像データや設定データを格納することができる。なお、ジョブのデータは記憶部１２７に格納することも可能である。
なお、ＤＲＡＭ制御ＩＣ１１１によって複数のジョブに関する画像データを画像メモリ１２０に記憶させることができる。すなわち、画像メモリ１２０には予約されたジョブの画像データの格納や、出力済みのジョブの画像データの格納も可能である。
【００５４】
ＤＲＡＭ制御ＩＣ１１１には圧縮ＩＣ１１８が接続されており、圧縮ＩＣ１１８には読み取り処理部１１６が接続されている。
読み取り処理部１１６は、スキャナー部１３０のＣＣＤ１３１で取得した画像データに対し、シェーディング処理等の所定の処理を行うものである。
圧縮ＩＣ１１８は、画像データの圧縮を行うことが可能であり、圧縮後の画像データは、圧縮メモリ１２１に格納される。
【００５５】
ＤＲＡＭ制御ＩＣには伸長ＩＣ１２５が接続されており、伸長ＩＣ１２５には書き込み処理部１２６が接続されている。
伸長ＩＣ１２５は、圧縮された画像データの伸長を行うものであり、伸長後のデータは、ページメモリ１２２に一旦格納された後に、画像形成や画像検査等に用いられる。
書き込み処理部１２６は、画像形成用の画像データに対して所定の処理を行うものであり、処理後の画像データはプリンター部１５０のＬＤ１５１に送られて、画像形成が行われる。
【００５６】
また、プリンター部１５０のプリンター制御部１５２には、読取装置２０の読取制御部２００が接続されている。
読取装置２０は、画像の読み取りを行うＣＣＤ２４０と、ＣＣＤスキャナーを制御する読取制御部２００とを有している。読取制御部２００は、ＣＰＵや記憶部、プログラム等によって構成される。読取制御部２００は、画像制御ＣＰＵ１１３の指示に従って読取装置２０全体の制御を行い、画像の読み取りや、読み取った画像データの転送等を行うことができる。
【００５７】
読取制御部２００には、排紙装置３０の排紙制御部３００が電気的に接続されている。
排紙制御部３００は、排紙装置３０の全体を制御するものであり、画像制御ＣＰＵ１１３の指示に従って用紙の排紙を制御する。排紙制御部３００は、ＣＰＵやＣＰＵで動作するプログラム、記憶部等によって構成される。
【００５８】
また、ＰＣＩバス１１２には、画像処理部（プリント＆スキャナーコントローラー）１６０のＤＲＡＭ制御ＩＣ１６１が接続されている。
画像処理部（プリント＆スキャナーコントローラー）１６０は、画像形成装置をネットワークプリンターやネットワークスキャナーとして使用する場合に、ＬＡＮ３に接続される外部装置５などから画像データ等を画像形成装置１で受信したり、スキャナー部１３０で取得した画像データを外部装置などに送信したりする。
【００５９】
画像処理部（プリント＆スキャナーコントローラー）１６０では、ＤＲＡＭ制御ＩＣ１６１に画像メモリ１６２が接続されている。画像メモリ１６２はＤＲＡＭなどで構成される。また、画像処理部（プリント＆スキャナーコントローラー）１６０では、ＤＲＡＭ制御ＩＣ１６１に、コントローラー制御部１６３と、通信制御部１６４が接続されている。コントローラー制御部１６３は画像処理部（プリント＆スキャナーコントローラー）１６０全体の制御を行う。通信制御部１６４には、ＮＩＣ１６５が接続されており、ＮＩＣ１６５にＬＡＮ３が接続されている。ＮＩＣは、Network Interface Cardの略称である。
【００６０】
また、画像処理部（プリント＆スキャナーコントローラー）１６０には、ＬＡＮ３を介して外部装置５が接続されている。
外部装置５は、外部装置５の全体を制御する外部装置制御部５０と、情報の表示および操作入力を受け付ける外部装置操作部５１とを有している。外部装置制御部５０は、ＣＰＵやＣＰＵを動作させるプログラム、記憶部などによって構成することができる。
また、外部装置制御部５０は、画像形成装置１と通信を行って画像データの送受信を行うことができる。
【００６１】
さらに、外部装置５では、画像形成装置における画像形成や画像検査、プルーフ印刷、正解画像の編集などの画像形成処理を行うものとしてもよい。
外部装置５によって画像形成装置１の画像形成の制御を行う場合、外部装置制御部５０が直接画像形成装置を制御してもよく、また、画像形成装置１へ制御内容の指示を行い、この指示内容によって画像形成装置１の制御部で制御が行われるようにしてもよい。
外部装置５において画像形成装置１における画像検査、正解画像の編集などを制御する場合、外部装置制御部５０は、本発明の制御部として機能する。また、外部装置制御部５０と画像制御部１００とが協働して本発明の制御部としての機能を果たすものであってもよい。外部装置操作部５１は、外部装置制御部５０の制御によって、正解画像に対し挿入対象となる画像の挿入箇所の操作入力を行って挿入箇所の情報を受け付けるものとしてもよい。この場合、外部装置操作部５１は、本発明の受付部として機能する。
また、上記機能において外部装置制御部５０で実行されるプログラムは、本発明のプログラムに相当する。
【００６２】
次に、画像形成装置１の基本的動作について説明する。
まず、画像形成装置１において画像データを蓄積する手順について説明する。
スキャナー部１３０で画像データを取得する場合、スキャナー部１３０のＣＣＤ１３１によって原稿の画像を光学的に読み取る。この際には、画像制御ＣＰＵ１１３によってスキャナー制御部１３２に指令が行われ、スキャナー制御部１３２によってＣＣＤ１３１の動作が制御される。
【００６３】
ＣＣＤ１３１で読み取られた画像は、読み取り処理部１１６でデータ処理がなされ、その後、圧縮ＩＣ１１８において所定の方法によって画像データが圧縮される。
読み取り処理部１１６では、ＣＣＤ１３１で読み取られた画像データに、アナログ信号処理、Ａ／Ｄ（Analog to Digital）変換処理、シェーディング処理等の各種処理を施し、デジタル画像データを生成する。圧縮ＩＣ１１８では、所定の方法でデータの圧縮がなされる。データの圧縮方法は特に限定されるものではない。
圧縮ＩＣ１１８で圧縮された画像データは、ＤＲＡＭ制御ＩＣ１１１を介して圧縮メモリ１２１に格納される。なお、画像データは記憶部１２７に格納することも可能である。圧縮メモリ１２１や記憶部１２７に格納された画像データは、画像制御ＣＰＵ１１３によってジョブにおける画像データとして管理することができる。
【００６４】
画像データを外部から取得する場合、例えば、外部装置５などからＬＡＮ３を通して画像データを取得する場合、画像データをＮＩＣ１６５で受信し、通信制御部１６４、ＤＲＡＭ制御ＩＣ１６１を介して、画像メモリ１６２に画像データを格納する。これらの動作は、コントローラー制御部１６３によって制御される。取得した画像データに対してＲＩＰ処理を行う場合は、コントローラー制御部１６３に画像データを転送してＲＩＰ処理を行い、得られたラスターイメージデータを画像メモリ１６２に格納する。なお、画像制御ＣＰＵ１１３においてＲＩＰ処理を行うものとしてもよい。
画像メモリ１６２のデータは、ＤＲＡＭ制御ＩＣ１６１、ＰＣＩバス１１２、ＤＲＡＭ制御ＩＣ１１１を介してページメモリ１２２に送信され、ページメモリ１２２に格納される。ページメモリ１２２に格納されたデータは、ＤＲＡＭ制御ＩＣ１１１を介して圧縮ＩＣ１１８に順次送られて圧縮処理され、圧縮された画像データは、圧縮メモリ１２１や記憶部１２７に格納される。
【００６５】
画像形成装置１でジョブとして画像出力を行う場合、すなわち複写機やプリンターとして使用する場合、圧縮メモリ１２１や記憶部１２７に格納された画像データを、ＤＲＡＭ制御ＩＣ１１１を介して伸長ＩＣ１２５に送出して画像データを展開する。
展開された画像データを書き込み処理部１２６に転送し、書き込み処理部１２６おいて書き込みデータを作成し、ＬＤ１５１によって感光体への画像の書き込みが行われる。その後、現像、転写、定着等を経ることにより、用紙に画像が形成される。
【００６６】
なお、ジョブ出力に際し、操作部１４０において、画像検査の実施有無の設定や本印刷、プルーフ印刷、再版印刷、再版プルーフ印刷等の指示行うことができる。
画像形成装置１をプリンターとして用いる場合、印刷条件は、外部装置５内のプリンタドライバーによって設定することができる。ここで設定された印刷条件は、画像と同様に、外部装置５→  ＮＩＣ１６５→  画像メモリ１６２→  ＤＲＡＭ制御ＩＣ１６１（コントローラー）→  ＤＲＡＭ制御ＩＣ１１１（本体）→  ページメモリ１２２の順で転送され、ページメモリ１２２に格納される。
【００６７】
画像形成装置１では、画像出力に際し、本出力以外にプルーフ印刷を行うことができ、本出力、プルーフ印刷の双方で画像検査を行うことができる。
プルーフ印刷の実行時には、印刷画像データ（ＲＩＰ画像）と、読取画像とを比較して画像検査を行う。画像検査で、異常がないと判定された場合には、読取画像を正解画像として記憶部１２７等に記憶する。なお、判定結果を操作部１４０等に表示して、ユーザーにより正常か異常かの判断を行わせるようにしてもよい。
プルーフ印刷は、ユーザーの指示などによって行うことができ、画像検査は、初期設定として有無の設定がされているものでもよく、また、出力に際し画像検査の実施有無の設定を行えるようにしてもよい。
【００６８】
次に、本実施形態の画像形成装置１における画像検査方法および再版プルーフ印刷動作について説明する。
従来、画像形成装置では、ジョブの初回印刷の際に用いた正解画像を保存しておき、ジョブの再印刷を行う際に、保存された正解画像を読み出して良否判定に使用することができる。
従来技術では、ジョブの再出力を行う場合に正解画像ジョブとして初回印刷したジョブを指定することで、同一ジョブを実行する場合に、再びプルーフモードで正解画像を作成する必要がなくなるという利点がある。
しかし、再版印刷を行う際に、初回印刷時からジョブの一部分を変更して印刷したい場合がある。この場合、正解画像ジョブとして初回印刷時のジョブを指定した場合は、変更されたページにおいて正解画像との不一致が生じてしまうため、正しく画像検査を行うことができない。
【００６９】
図４は、正解画像を有するジョブの６、１０、１２ページ目の画像を正解画像と異なる画像に変更した場合を示している。
図４の左側には、上段から順に、初回印刷プルーフ時、初回本印刷時、再版本印刷時における印刷画像の読取画像が示されている。図４の右側には、画像検査用の正解画像ジョブが示されている。
初回印刷時には、プルーフ印刷によって正解画像が登録され、本印刷時にはプルーフ印刷で得られた正解画像を用いて用紙に印刷し、印刷されて読み取られた読取画像と、登録されている正解画像との比較によって画像検査が行われる。
一方、再版印刷時に６、１０、１２ページ目の画像を正解画像と異なる画像に変更した場合（３段目）（図５では丸付きの６、１０、１２としている）、６、１０、１２ページ目では読取画像と正解画像とが不一致となり、異常と検知されてしまう。すなわち、登録されている正解画像ジョブを一部でページが変更された再版印刷では正解ジョブとして指定することができない。この場合は、再度プルーフモードで全ページを印刷し、正解画像ジョブを作成する必要がある。
【００７０】
次に、本実施形態におけるジョブの初回印刷時および再印刷時の動作を図５Ａ〜図５Ｄのフローチャートに基づいて説明する。以下の手順は、制御部の制御によって実行される。
初回印刷時にプルーフモードで出力を行う場合は、図５Ａに示すように、印刷ジョブを実行し（ステップｓ３０）、印刷した用紙の画像の読み取りを行う（ステップｓ３１）。その後、読み取った画像を正解画像として登録し（ステップｓ３２）、手順を終了する。
【００７１】
初回印刷時の本出力では、図５Ｂに示すように、印刷ジョブを実行し（ステップｓ４０）、印刷した用紙の画像の読み取りを行う（ステップｓ４１）。次いで、プルーフモード時に生成した正解画像と、読取画像との比較を行って、画像検査を実施する（ステップｓ４２）。画像検査の結果、画像に異常が検知されたかを判定し（ステップｓ４３）、異常が検知された場合（ステップｓ４３、Ｙｅｓ）、リカバリ印刷を行う（ステップｓ４４）。リカバリ印刷後、またはステップｓ４３において画像の異常が検知されなかった場合（ステップｓ４３、Ｎｏ）、手順を終了する。
【００７２】
再版印刷のプルーフ印刷では、図５Ｃに示すように、正解画像ジョブの指定を行い（ステップｓ５０）、差し替えページの指定を行う（ステップｓ５１）。差し替えは、画像の挿入と、挿入前の画像の削除の両方を行う場合であり、挿入箇所の指定および削除箇所の指定を行う。挿入画像は、外部から入力された画像としてもよく、画像形成装置１内に記憶されている画像としてもよい。
次に、差し替えたページのみの印刷を行い（ステップｓ５２）、用紙に印刷された印刷画像を読み取る（ステップｓ５３）。読み取られた画像を、登録されている正解画像に差し替えて登録する（ステップｓ５４）。差し替え登録では、挿入箇所に読取画像を挿入し、削除箇所における正解画像の削除を行う。なお、差し替えは、挿入箇所の指定、及び削除箇所の指定を同一ページに指定する方法としてもよい。
【００７３】
再版印刷の本出力では、図５Ｄに示すように、正解画像ジョブとして、差し替え後の画像ジョブを指定し（ステップｓ６０）、印刷ジョブを実行し（ステップｓ６１）、用紙に印刷された画像を読み取る（ステップｓ６２）。差し替え後の正解画像と、読取画像との比較を行って画像検査を行い（ステップｓ６３）、異常が検知されたかを判定する（ステップｓ６４）。異常が検知された場合（ステップｓ６４、Ｙｅｓ）、リカバリ印刷を行う（ステップｓ６５）。リカバリ印刷を行った後、またはステップｓ６４において異常が検知されなかった場合（ステップｓ６４、Ｎｏ）、手順を終了する。
【００７４】
上記手順によれば、ページの一部分を変更したジョブを実行する場合でも、変更後のジョブの画像を正解画像ジョブとし、本印刷を実行することができるようになる。
また、再印刷時のプルーフ印刷では、全ページのプルーフ印刷を行う必要がなく、資材の節約となる。
【００７５】
以下に、本実施形態における画像印刷動作および再版プルーフ印刷の動作について、図６〜図８の機能ブロックを用いて説明する。
主制御部６−３では、画像入力、出力、画像検査、検査結果の出力等の制御を行う。主制御部６−３は、画像データの処理のために、圧縮ＩＣ１１８、圧縮メモリ１２１、伸長ＩＣ１２５、第１ページメモリ１２２Ａ、第２ページメモリ１２２Ｂなどを有している。第１ページメモリ１２２Ａと第２ページメモリ１２２Ｂは、ページメモリ１２２に含まれる。主制御部６−３は、制御部の一部機能によって制御の機能を果たすことができる。
また、主制御部６−３は、正解画像となるジョブ、及び前記ジョブ中に画像を挿入するための挿入箇所を受け付けるほか、挿入する対象画像を受け付ける。
【００７６】
主制御部６−３には、画像入力部６−１が接続されている。
画像入力部６−１は、プリントコントローラーからジョブデータや画像データ等の入力を受け付ける。ジョブデータには画像検査の指示が含まれる。なお、この形態では、画像処理部（プリント＆スキャナーコントローラー）１６０がプリントコントローラーに相当する。画像入力部６−１は、主制御部６−３に接続されている。
さらに、画像入力部６−１は、正解画像ジョブへ挿入する画像を外部から入力する場合、および、正解画像ジョブから削除する画像を外部から指示する場合の指示と画像入力を行うことができる。
【００７７】
主制御部６−３に、画像形成部１１が制御可能に接続されている。
画像形成部１１は用紙に対する画像形成を行うことが可能であり、主制御部６−３から画像データを受信して、主制御部６−３の指示に基づいて画像形成を行う。
【００７８】
主制御部６−３に、読取装置２０が制御可能に接続されており、主制御部６−３では、読取装置２０に対し画像の読み取りの指示を行うことができる。
読取装置２０は、読み取り完了結果を読取画像とともに、主制御部６−３に送信する。
【００７９】
主制御部６−３に、指示部６−２が制御可能に接続されている。
指示部６−２は、操作部１４０によってその機能を果たすことができる。主制御部６−３では、指示部６−２を制御して、画像の比較によって画像が異常であると判断された際に、画像の良否を確定する指示を行うことができる。
また、指示部６−２では、操作部１４０の操作パネルから正解画像となるジョブ、前記ジョブ中に画像を挿入するための挿入箇所の指示や、挿入する対象画像の指示を行うことができる。正解画像ジョブへ挿入する画像を装置内に既に存在する画像とする場合、正解画像ジョブから削除する画像を操作パネルから指示する場合の指示を行う。また、画像検査後の結果の確定指示を行うことが可能である。
【００８０】
主制御部６−３には、画像検査部６−６が接続されている。主制御部６−３は、画像検査部６−６に対し、読取画像の検査を指示することができる。画像検査部６−６は、画像制御部１００の一部機能によって構成することができる。画像検査部６−６の検査結果は、主制御部６−３に通知することができる。
【００８１】
主制御部６−３には、記憶部６−７が接続されている。
記憶部６−７には、印刷用画像データや、読取画像データ、正解画像データ、挿入対象の画像データ、新たなジョブにおける正解画像データなどを格納することができ、適宜読み出しすることができる。
【００８２】
主制御部６−３には、通知部６−８が接続されている。
通知部６−８は、画像が正常でないと判断される場合に、異常画像や異常箇所を通知することができ、さらに指示部６−２による指示エラーの通知を行うことができる。正解画像の挿入指示を受けた場合に、挿入箇所が存在しなければエラーを通知する。通知部６−８は、操作部１４０の一部機能を利用して、通知を行うことができ、画像形成装置外の表示部などで通知を行うように制御を行うものとしてもよい。
【００８３】
次に、上記制御ブロックにおいて、外部から挿入画像を入力する場合の動作を図７に基づいて説明する。以下の括弧番号は図中の丸数字に対応している。以下、同様である。
（１）画像入力部６−１から、対象となる正解画像ジョブ、正解画像中に挿入画像を挿入する箇所、挿入対象画像の入力、挿入対象画像を挿入後の正解画像ジョブを元の正解画像ジョブとして上書きで登録するか、新規に別のジョブとして登録するかを指定することができる。
主制御部６−３は、印刷ジョブが開始されると、画像入力部６−１が入力した画像を、圧縮ＩＣ１１８を用いて圧縮し、圧縮メモリ１２１へ格納する。
その後、主制御部６−３は、圧縮メモリ１２１に格納されている圧縮画像を、伸長ＩＣ１２５を用いて伸長し、第１ページメモリ１２２Ａへ格納する。
（２）主制御部６−３は、画像形成部１１へ画像の出力を指示し、画像形成部１１は画像を用紙に出力する。
（３）画像形成部１１は、用紙の排紙完了後、主制御部６−３へ用紙の排紙完了を通知する。
（４）主制御部６−３は、読取装置２０へ画像の読み取りを指示する。
（５）読取装置２０は、印刷後の用紙を読み取り、読取画像を第２ページメモリ１２２Ｂに格納し、読み取り完了を主制御部６−３に通知する。
（６）主制御部６−３は、画像検査部６−６へ画像の検査を指示する。
（７）画像検査部６−６は、印刷用紙を読み取った画像に、不良がないか検査する。不良があった場合は、不良の検出箇所を主制御部６−３に通知する。
（８）指示部６−２は、不良と検出された画像を異常とするか、正常とするかを指示する。
（９）主制御部６−３は、画像検査部６−６に異常と検出されなかった画像、及び画像検査部６−６に異常と検出された後、指示部６−２により、正常と指示された画像を、記憶部６−７に正解画像として保存する。
（１０）主制御部６−３は、画像検査部６−６で異常と検出され、かつ指示部６−２により、異常と指示された画像のリカバリ印刷をプリントコントローラーへ指示する。リカバリ印刷は、（１）から（１０）の行程を繰り返し行う。
（１１）主制御部６−３は、通知部６−８へ、異常画像、及び異常箇所を通知する。また画像入力部６−１からの指示で、存在しない正解画像ジョブが指定された場合、または存在しない挿入対象画像の挿入位置が指定された場合は、エラーを通知する。
【００８４】
次に、装置内部の画像を挿入対象の画像とする場合の動作内容を、図８の機能ブロックを用いて説明する。
（１）指示部６−２から対象となる正解画像ジョブ、正解画像中に挿入画像を挿入する箇所、装置内の挿入対象画像、挿入対象画像を挿入後の正解画像ジョブを元の正解画像ジョブに対し上書きで登録するか、新規に別のジョブとして登録するかの指定を受ける。
（２）主制御部６−３は、指示部６−２が挿入対象画像として指定した装置内の画像を、記憶部６−７から圧縮メモリに読み出す。主制御部６−３は、圧縮メモリ１２１に格納されている圧縮画像を、伸長ＩＣ１２５を用いて伸長し、第１ページメモリ１２２Ａへ格納する。
（３） 主制御部６−３は、画像形成部１１へ画像の出力を指示し、画像形成部１１は画像を用紙に出力する。
（４）画像形成部１１は用紙の排紙完了後、主制御部６−３へ用紙の排紙完了を通知する。
（５）主制御部６−３は、読取装置２０へ画像の読み取りを指示する。
（６）読取装置２０は、印刷後の用紙を読み取り、読取画像を第２ページメモリ１２２Ｂに格納し、読み取り完了を主制御部６−３に通知する。
（７）主制御部６−３は、画像検査部６−６へ画像の検査を指示する。
（８）画像検査部６−６は、印刷用紙を読み取った画像に、不良がないか検査する。不良があった場合、不良の検出箇所を主制御部６−３に通知する。
（９）指示部６−２は、不良と検出された画像を異常とするか、正常とするかを指示する。
（１０）主制御部６−３は、画像検査部６−６に異常と検出されなかった画像、及び画像検査部６−６に異常と検出された後、指示部６−２により、正常と指示された画像を、記憶部６−７に正解画像として保存する。
（１１）主制御部６−３は、通知部６−８へ、異常画像、及び異常箇所を通知する。また主制御部６−３は、画像検査部６−６で異常と検出され、かつ指示部６−２により、異常と指示された画像のリカバリ印刷を行う。リカバリ印刷は、（１）から（１０）の行程を繰り返し行う。
【００８５】
次に、正解画像の挿入・削除指示に基づく動作例を、図９を例にして説明する。
この例では、画像の挿入箇所として６、１０、１２ページを指定し、画像の削除箇所として６、１０、１２ページを指定する差し替えの例である。
図９の左側には印刷画像および読取画像が示されており、右側には正解画像が示されている。
この例では、初回プルーフ印刷時の印刷画像を読み取った読取画像が正解画像ジョブとして登録されており、初回本印刷時の画像検査では、出力された印刷画像の読取画像と正解画像との比較を行うことで画像検査が行われる。
再版時にはジョブの一部ページを変更している。
再版印刷時のプルーフモード時には、正解画像ジョブと、正解画像ジョブ中の挿入、削除箇所を指定し、挿入対象の画像のみの印刷を行い、印刷した用紙の読み取りを行って読取画像を取得する。その後、読取画像を、指定された正解画像ジョブの、挿入指定位置へ挿入して登録し、削除指定位置の画像を削除する。挿入対象画像は指定された挿入位置の次ページに挿入し、削除指定された位置の画像を削除する。
【００８６】
図９の例では、挿入指定箇所の６、１０、１２の次に挿入対象の画像を挿入することで、１、２、３、４、５、６、６（丸数字）、７、８、９、１０、１０（丸数字）、１１、１２、１２（丸数字）の順となる。
上記順において、削除指定箇所の６、１０、１２の画像を削除し、１、２、３、４、５、６（丸数字）、７、８、９、１０（丸数字）、１１、１２（丸数字）の順のジョブとなる。挿入箇所と削除箇所を同一にすることにより、指定箇所の画像を差し替えたジョブにすることができる。なお、挿入と削除とを異なる順序で行うようにしてもよい。
上記手順により、挿入、削除後のジョブを正解画像ジョブとして指定することができ、再版印刷時に一部分だけを変更したい場合に、印刷ジョブの全てのページを再印刷して正解画像ジョブを再作成しなくてもよく、正解画像ジョブ生成までの時間が短縮される効果がある。
【００８７】
次に、正解画像の挿入箇所および削除箇所の指定の例について説明する。
正解画像の挿入、削除箇所の指定は、印刷ジョブを投入する際に、プリンタドライバー等から設定を行ってもよく、画像形成装置側で設定を行ってもよい。
表１は、プリンタドライバー等から指定する場合のジョブの指定情報の例を示している。
プリンタドライバー等からの指定を行う場合は、コントローラーからの印刷ジョブの動作を指定するために、少なくとも以下の情報を有する。なお、挿入ページおよび削除ページを、差し替えページとして指定してもよい。
【００８８】
【表１】
2019136938.tif 000003
【００８９】
表１に示すように、ジョブ情報としては、印刷モード、正解画像ジョブ名、挿入ページ、削除ページの項目が示されている。
印刷モードでは、例えば、通常本印刷、プルーフ印刷、再版プルーフ印刷、再版本印刷のモードに区分して印刷を行うことができる。
正解画像ジョブ名では、再版プルーフ印刷、再販本印刷の印刷モードにおいて、正解画像となるジョブの名称を指定する。
挿入ページは、再版プルーフ印刷モードの選択時に、挿入するページ情報を指定する。
削除ページは、再版プルーフ印刷モードの選択時に、削除するページ情報を指定する。
【００９０】
次に、印刷装置からの設定を行う場合の例を説明する。
画像形成装置１において設定を行う場合、画像形成装置１の操作部１４０から、記憶部１２７に保存されているジョブの一覧を表示し、正解画像を編集したいジョブを選択し、ジョブの編集を行う。画像形成装置１には正解画像ジョブとして、プリントコントローラーから受信した印刷画像と、印刷画像が印刷された用紙を画像読取部２４、２５で読み取った読取画像とが関連付けて保存されている。
【００９１】
ジョブの正解画像の編集を行った場合、印刷画像と、印刷画像に関連付けて保存されている読取画像とは不一致となる。なお、ジョブチケットを編集し、ページの削除や、別のジョブからのページ挿入等を行う技術については記載を省略する。
次に、再版印刷時に、装置内に保存されているジョブの一覧を表示し、再版印刷する正解画像ジョブを指定し、再販プルーフ印刷を指定する。
再版プルーフ印刷では、ジョブチケット編集時に編集された画像を印刷し、印刷した画像の読み取りを行って正解画像として登録する。ここでは、ジョブチケット編集時に挿入した印刷ページを指定して印刷し、印刷した画像を読み取った読取画像を登録してもよく、ジョブチケット編集時の挿入ページを記憶しておき、再版印刷時の再版プルーフ印刷時に、印刷した用紙を読み取った読取画像を、自動で挿入箇所に挿入してもよい。削除は、ジョブチケット編集時に削除した印刷ページを記憶しておき、再版印刷時の再版プルーフ印刷時に、自動で削除箇所のページを削除する。
【００９２】
挿入箇所の自動設定および挿入箇所の削除設定を行う設定画面の例を図１０、１１に基づいて説明する。図１０、１１の設定画面は、操作部１４０に表示されるものであるが、画像形成装置外の操作部などに表示されるものであってもよい。
印刷設定画面１４００は、図１０に示されるように、画面の中央部に出力方法設定欄１４０１が表示されている。出力方法設定欄１４０１には、「通常」釦１４０２、「プルーフ」釦１４０３、「再版プルーフ」釦１４０４、「再版通常」釦１４０５が左から順に押下可能に設けられている。
「通常」釦１４０２が選択されると通常本出力モードとなり、「プルーフ」釦１４０３が選択されるとプルーフ印刷モードとなり、「再版プルーフ」釦１４０４が選択されると再版プルーフ印刷モード、「再版通常」釦１４０５が選択されると再版本出力モードとなる。図１０の例では、「再版プルーフ印刷」釦１４０４が選択されている。
【００９３】
出力方法設定欄１４０１の下方には、再版プルーフ印刷の対象シート設定欄１４０６が設けられている。対象シート設定欄１４０６には、「自動」釦１４０７と「シート指定」釦１４０８が表示されており、再版プルーフ印刷の対象となるシート（ページ）の設定方法を選択することができる。「自動」釦１４０７が選択されると、ジョブチケット編集時に挿入されたページを対象ページとして自動で指定し、「シート指定」釦１４０８が選択されると、再版プルーフ印刷の対象ページを手動で指定するための画面（図１１）に移行する。
【００９４】
図１１に示される印刷シート設定画面１５００について説明する。
印刷シート設定画面１５００には、画面の中央付近に、プレビュー画像１５０４が表示されている。プレビュー画像１５０４の左側には、用紙の表面を表示するための「表」釦１５０２、および、裏面を表示するための「裏」釦１５０３が表示されており、プレビュー画像１５０４の下側には、プレビュー表示されるページを切り替えるためのページ送り釦１５０５、１５０７、およびページ番号表示欄１５０６が設けられている。ユーザーは、「表」釦１５０２、「裏」釦１５０３、ページ送り釦１５０５、１５０７を押下することにより、プレビュー画像として表示されるページを切り替えることができる。図１１では、１２ページ目が選択されて表示されている。
【００９５】
また、プレビュー画像１５０４の右側には、テンキー群１５０８が設けられている。テンキー群１５０８を操作することにより、ユーザーは、プレビュー画像を確認しながら印刷するシートを指定することができる。
指定したページは、プレビュー画像１５０４の上側の指定シート表示欄１５０１に表示される。図１２では、６、１０、１２ページ目が指定されている。テンキー群１５０８の「,」キーをページ番号間に介在させることで、複数ページを指定することができる。
【００９６】
テンキー群１５０８の下方には、「ＯＫ」釦１５０９と「Ｃａｎｃｅｌ」釦１５１０が設けられている。「ＯＫ」釦１５０９が押下されると、６、１０、１２ページが出力画像として確定され、再版プルーフ印刷が行われる。「Ｃａｎｃｅｌ」釦１５１０が押下された場合は設定内容がキャンセルされる。
再版プルーフ印刷を実施した後は、差し替え（挿入＋削除）後のジョブを正解画像ジョブとして指定し、再版印刷時の本印刷時に、印刷した用紙を読み取った読取画像と正解画像とを比較することにより、画像の検査を行う。
【００９７】
次に、再版プルーフ印刷時の画像検査について図１２を用いて説明する。
再版プルーフ印刷時には、差し替え（挿入＋削除）指定ページを印刷した用紙を読み取った読取画像と、印刷画像データ（プリントコントローラーから受信した画像や、印刷装置の記憶装置に保存済みの画像データ）とを比較し、その差分から画像の正常／異常の判定を行う。正常と判断された場合にのみ、元の正解画像と差し替え（挿入＋削除）を行って、新たなジョブの正解画像とする。
図１２の例では、登録済みの１２ページのジョブ（１列目）を正解画像ジョブの全部または一部として指定した場合であって、６、１０、１２ページ目の画像を差し替え（挿入＋削除）指定した場合を示している。正解画像に挿入対象画像を挿入したジョブで正解となる画像が必要な場合、指定された６（丸数字）ページ、１０（丸数字）ページ、１２（丸数字）ページの画像を印刷し（２列目）、印刷画像を印刷した用紙を読み取り、読取画像（３列目）と、印刷画像（２列目）とを比較して画像が異常かを判定する。
この例では、１０ページ目の画像に異常が検知され、６ページ目と１２ページ目は正常に印刷されたと判定された場合である。６ページと１２ページのみ正解画像と差し替える（挿入＋削除）（４列目）。１０ページ目の画像は異常であるため正解画像との差し替えは行わない。
【００９８】
再版プルーフ印刷時の画像検査で異常が検知された場合には、異常が検知された画像をユーザーに提示して、ユーザーが正常／異常を判断するようにしてもよい。
図１３は、画像検査の結果を示す画像検査レポート画面１６００を示している。
画像検査レポート画面１６００には、画面の左側の位置にファイル名表示欄１６０１が表示されており、画像検査したページのファイル名が表示されている。図１３では、１０ページ目の画像を示す「Ｉｍａｇｅ０００１０．ｐｄｆ」が選択されている。
また、ファイル名表示欄１６０１の右側には、検知結果表示欄１６０２が設けられており、選択されたページの異常の検出結果が表示されている。ここでは、汚れ検出結果として、座標Ｘ：１９０、Ｙ：２８０の汚れ検出位置が示されており、異常画像として、スジおよび色ずれは検知されていないことが示されている。
【００９９】
検知結果表示欄１６０２の右側には、読取画像であるプレビュー画像１６０３が表示されており、ユーザーは、プレビュー画像１６０３に表示される画像を見て、正常か異常かを確定することができる。なお、プレビュー画像１６０３上には汚れ１６０４が表示されている。
プレビュー画像１６０３の下方には、「正常」釦１６０５および「異常」釦１６０６が設けられており、ユーザーは、画像が正常であると判断した場合は「正常」釦１６０５を押下し、画像が異常であると判断した場合は「異常」釦１６０６を押下する。これにより、画像の異常の判定結果が確定される。
【０１００】
図１３に示すように、挿入する印刷画像を印刷した用紙を読み取った読取画像に異常を検出した場合、操作部１４０や外部装置５の外部装置操作部５１上に、異常を検知したページの画像と、異常箇所の情報を表示し、正常（正解画像として登録する）か、異常（正解画像と登録しない）かをユーザーに選択させることができる。ユーザーは操作部１４０パネルに表示された異常画像情報から、異常箇所を確認し、問題なければ正常を選択する。正常が選択された場合には、正解画像として登録し、異常を選択した場合には印刷画像を印刷後の用紙を読み取った画像を破棄する。これにより、挿入画像を正解画像として確定するかをユーザーが確定することが可能になる。ユーザーが異常であると指定した場合は、後述するようにリカバリ印刷を行うことができる。
【０１０１】
次に、正解画像の編集を行ったジョブの登録方法について説明する。
登録済みの正解画像ジョブからページの一部分を変更して印刷したいが、この後も元のジョブのまま再版印刷する予定があり、ジョブとして残しておきたい場合がある。
そこで、正解画像ジョブの一部分を変更した場合に、変更前の正解画像ジョブに新しいジョブを上書きして保存するか、別の正解画像ジョブとして新規に登録するかをユーザーが選択できるようにすることができる。
正解画像の差し替え方法の設定画面を図１４に示す。なお、以下では、正解画像の差し替えを行う場合について説明しているが、正解画像の挿入または削除のみを行う場合も同様である。
【０１０２】
図１４に示す画像検査設定画面１７００には、画面の中央部に、「上書き登録」釦１７０１と「新規登録」釦１７０２がそれぞれ選択可能に表示されている。「上書き登録」釦１７０１が選択された場合は、変更後の正解画像ジョブが上書き保存され、「新規登録」釦１７０２が選択された場合は、変更後の正解画像ジョブが新規の正解画像ジョブとして登録される。また、画像検査設定画面１７００の右下部には、「ＯＫ」釦１７０３と「Ｃａｎｃｅｌ」釦１７０４が表示されており、「ＯＫ」釦１７０３が押下されると選択された設定内容が保存され、「Ｃａｎｃｅｌ」釦１７０４が押下されると設定内容がキャンセルされる。
【０１０３】
正解画像の上書き登録および新規登録の画像の状態を、図１５を用いて説明する。
図１５の例では、初回印刷プルーフ時に、少なくとも合計１２ページのジョブを印刷し、読取画像が正解画像ジョブ（ＪＯＢ１）として登録されている（１列目）。再版印刷では、登録済みのＪＯＢ１を正解画像ジョブとして指定し、６、１０、１２（いずれも丸数字）ページが差し替え（挿入＋削除）箇所として指定されている。
正解画像ジョブの上書き登録が選択されている場合（２列目）、再版プルーフ印刷時の印刷画像（６、１０、１２ページ（いずれも丸数字））の読取を行い、読取画像を６、１０、１２ページ目の正解画像と差し替えて、ＪＯＢ１に上書きして登録する（登録済みのジョブの内容が更新される）。差し替えが行われた新しいジョブは、元のジョブと同一のジョブ名となる。
新規登録が選択された場合には、ＪＯＢ１の６、１０、１２ページ目の正解画像を差し替えた（挿入＋削除）ジョブをＪＯＢ２として新規登録する（３列目、４列目）。なお、再版プルーフ印刷時は、挿入する画像のみを印刷する。
上記動作により、正解画像ジョブの登録方法を適宜選択することが可能となる。
【０１０４】
次に、再版プルーフ印刷時のリカバリ印刷について説明する。
再版プルーフ印刷時において、挿入したいページが印刷された用紙を読み取った読取画像と、印刷画像データとを比較し、異常と判定された場合には、異常と判定されたページの画像は正解画像として登録はせず、リカバリ印刷（再印刷）を行う。リカバリ印刷は、正常と判定されるまで繰り返し行うことができる。図１６に、再版プルーフ印刷時のリカバリ印刷動作を示す。
図１６の例では、差し替え用として６、１０、１２ページ（いずれも丸数字）を出力する場合に、１０ページ目で異常が検知された場合を示している。この例では、異常が検知された１０ページ目のリカバリ印刷（再印刷）が行われたが、リカバリ印刷でも異常が検知されたため、１０ページ目のリカバリ印刷を再度実施している。
差し替え（挿入＋削除）ページを印刷した用紙を読み取った画像と、印刷画像とを比較し、その差分から正常／異常の判定を行い、異常と判断された場合は、正常と判定されるまで繰り返しリカバリ印刷を行うことで、異常のある画像が正解画像として登録されるのを防ぐことができる。
【０１０５】
また、正解画像の挿入箇所・削除箇所として指定された箇所が存在しない場合は、画像形成装置はエラーを報知することができる。例えば、１２ページの正解画像ジョブに対し、正解画像の挿入箇所・削除箇所として１５ページ目が指定された場合は、範囲外としてエラーをユーザーに通知する。エラーの報知は、操作部１４０や外部装置５の外部装置操作部５１で行ってもよく、音などのその他の手段によって行ってもよい。
【０１０６】
次に、正解画像の挿入・削除を外部から指示する場合に、再版プルーフ印刷動作を含む画像形成処理を行う手順を図１７のフローチャートに基づいて説明する。以下の手順は制御部の制御によって実行される。
画像入力部６−１から印刷設定を受信する（ステップｓ７０）。この際に、対象となる正解画像ジョブや、正解画像中に挿入画像を挿入する箇所、挿入対象画像を挿入後の正解画像ジョブを元の正解画像ジョブとして上書きで登録するか、新規に別のジョブとして登録するか等の情報を含めて画像入力部６−１から受け取る。
【０１０７】
次に、画像入力部６−１から印刷画像データを入力する（ステップｓ７１）。画像入力部６−１では、印刷画像データはプリントコントローラーから受信する。
主制御部６−３は、画像入力部６−１に入力された画像を、圧縮ＩＣ１１８を用いて圧縮し、圧縮メモリ１２１へ格納し、圧縮メモリ１２１に格納されている圧縮画像を、伸長ＩＣ１２５を用いて伸長し、第１ページメモリ１２２Ａへ格納する。
その後、給紙処理により用紙を給紙する（ステップｓ７２）。
【０１０８】
次いで、主制御部６−３は、画像形成部１１へ画像の出力を指示し、画像形成部１１は、画像を用紙に書き込む（ステップｓ７３）。画像形成部１１は、用紙の排紙完了後、主制御部６−３へ用紙の排紙完了を通知する。
主制御部６−３は、読取装置２０に画像の読み取りを指示する（ステップｓ７４）。読取装置２０は、印刷後の用紙を読み取る。読み取った画像データは第２ページメモリ１２２Ｂに格納され、読み取り完了が主制御部６−３に通知される。
【０１０９】
次いで、主制御部６−３は、印刷モードが正解画像を生成するためのプルーフ印刷であるかを判定する（ステップｓ７５）。プルーフ印刷である場合（ステップｓ７５、Ｙｅｓ）、主制御部６−３は、画像入力部６−１から受信した印刷画像を正解画像とする（ステップｓ７６）。印刷モードがプルーフ印刷でない場合、すなわちジョブの本印刷である場合（ステップｓ７５、Ｎｏ）、画像入力部６−１から指示された正解画像ジョブを正解画像とする（ステップｓ７７）。
【０１１０】
主制御部６−３は、画像検査部６−６へ画像の検査を指示する（ステップｓ７８）。画像検査部６−６は、正解画像と読取画像との比較を行って読取画像に不良がないかを検査し、検査結果および不良の検出箇所を主制御部６−３に通知する。
主制御部６−３は、画像不良があったかを判定し（ステップｓ７９）、画像不良である場合（ステップｓ７９、Ｙｅｓ）、通知部６−８へ異常の通知を指示する。通知部６−８はこの指示を受けて異常画像を通知する（ステップｓ８０）。
【０１１１】
次いで、印刷モードが正解画像を生成するためのプルーフ印刷であるか、本印刷であるかを判定する（ステップｓ８１）。
プルーフ印刷である場合（ステップｓ８１、Ｙｅｓ）、すなわち正解画像生成モードである場合、異常と判定された画像を操作部１４０等に表示し、指示部６−２を通じてユーザーによる正常、または異常の確定操作がユーザーにより行われたかを判定する（ステップｓ８２）。
【０１１２】
ユーザーが正常でないと指示された場合（ステップｓ８２、Ｎｏ）、すなわち異常であると指示された場合、読取装置２０で読み取った第２ページメモリ１２２Ｂ中の読取画像を削除する（ステップｓ８３）。
ユーザーが正常であると指示した場合（ステップｓ８２、Ｙｅｓ）、画像検査部６−６によって異常が検出され、指示部６−２により正常であると指示された読取画像を、記憶部６−７に保存する（ステップｓ８４）。ステップｓ８３またはステップｓ８４の後、プリントコントローラーへリカバリ印刷指示を行う（ステップｓ８５）。主制御部６−３は、画像検査部６−６により異常が検出され、かつ、指示部６−２により異常と確定された画像のリカバリ印刷をプリントコントローラーへ指示する。
【０１１３】
一方、ステップｓ８１において、プルーフ印刷でないと判定された場合（ステップｓ８１、Ｎｏ）、すなわちジョブの本印刷である場合、ステップｓ８５へ進み、プリントコントローラーへリカバリ印刷指示を行う（ステップｓ８５）。主制御部６−３は、画像検査部６−６で異常と検出された画像のリカバリ印刷の制御を行う。
【０１１４】
ステップｓ７９で、画像検査の結果、画像の不良が検知されなかった場合（ステップｓ７９、Ｎｏ）、正解画像を生成するためのプルーフ印刷であるかの判定を行う（ステップｓ８６）。
プルーフ印刷である場合（ステップｓ８６、Ｙｅｓ）、すなわち正解画像生成モードである場合、読取画像を保存する（ステップｓ８７）。プルーフ印刷でない場合は（ステップｓ８６、Ｎｏ）、本出力であるため読取画像の保存は行わない。
ステップｓ８５またはステップｓ８７の後、または、ステップｓ８６において、本印刷モードであると判定された場合（ステップｓ８６、Ｎｏ）、全ページの印刷が終了したかを判定する（ステップｓ８８）。全ページの出力が終了していない場合（ステップｓ８８、Ｎｏ）、ステップｓ７２に戻り、手順を繰り返す。
【０１１５】
全ページの出力が終了した場合（ステップｓ８８、Ｙｅｓ）、正解画像を挿入したジョブを元のジョブに対し上書き登録する設定であるかを判定する（ステップｓ８９）。上書き登録の設定である場合（ステップｓ８９、Ｙｅｓ）、画像入力部６−１から指定されたジョブの挿入箇所に、ステップｓ８４またはステップｓ８７で保存した読取画像を登録する（ステップｓ９０）。上書き登録の設定でない場合（ステップｓ８９、Ｎｏ）、すなわち、対象画像を挿入したジョブを新規登録する設定である場合、指定されたジョブの全ページをコピーし、画像入力部６−１から指定されたジョブの挿入箇所に、ステップｓ８４またはステップｓ８７で保存した読取画像を登録する（ステップｓ９１）。
ステップｓ９０またはステップｓ９１の後、正解画像の削除指定があるかを判定する（ステップｓ９２）。正解画像の削除指定がある場合（ステップｓ９２、Ｙｅｓ）、指定された削除画像を記憶部６−７から削除し（ステップｓ９３）、手順を終了する。正解画像の削除指定がない場合は（ステップｓ９２、Ｎｏ）、そのまま手順を終了する。
【０１１６】
次に、正解画像の挿入・削除を装置内部の画像を挿入する場合に、再版プルーフ印刷動作を含む画像形成処理を行う手順を図１８のフローチャートを用いて説明する。以下の手順は制御部の制御によって実行される。
先ず、印刷設定の指示を行う（ステップｓ１００）。印刷設定の指示は、指示部６−２によって、印刷装置内に保存されている対象となる正解画像ジョブや、正解画像中に挿入画像を挿入する箇所、装置内の挿入対象画像、挿入対象画像を挿入後の正解画像ジョブを元の正解画像ジョブとして上書きで登録するか、新規に別のジョブとして登録するか、等を指定する。すなわち、この例では装置側で正解画像の挿入または／および削除の指定を行う。
次に、画像データの読み出しを行う（ステップｓ１０１）。主制御部６−３は、指示部６−２が挿入対象画像として指定した装置内の画像を、記憶部６−７から圧縮メモリ１２１に読み出す。 主制御部６−３は、圧縮メモリ１２１に格納されている圧縮画像を、伸長ＩＣ１２５を用いて伸長し、第１ページメモリ１２２Ａへ格納する。
【０１１７】
その後、給紙処理を行って用紙を給紙し（ステップｓ１０２）、主制御部６−３は、画像形成部１１へ画像の出力を指示し、画像形成部１１は印刷画像データを用紙に印刷する（ステップｓ１０３）。画像形成部１１は、用紙の排紙完了後、主制御部６−３へ用紙の排紙完了を通知する。
次いで、印刷された用紙の画像の読取を行う（ステップｓ１０４）。主制御部６−３は、読取装置２０へ画像の読み取りを指示し、読取装置２０は、印刷後の用紙を読み取る。読み取られた画像データは第２ページメモリ１２２Ｂに格納され、読み取り完了が主制御部６−３に通知される。
【０１１８】
主制御部６−３は、印刷モードが正解画像を生成するためのプルーフ印刷であるかを判定する（ステップｓ１０５）。プルーフ印刷である場合（ステップｓ１０５、Ｙｅｓ）、主制御部６−３は、画像入力部６−１から受信した印刷画像を正解画像とし（ステップｓ１０６）、プルーフ印刷でない場合、すなわちジョブの本印刷である場合（ステップｓ１０５、Ｎｏ）、指示部６−２から指示されたジョブの画像を正解画像とする（ステップｓ１０７）。
【０１１９】
そして、主制御部６−３は、画像検査部６−６へ画像の検査を指示する（ステップｓ１０８）。画像検査部６−６は、正解画像と読取画像との比較を行って読取画像に不良がないかを検査し、検査結果、および不良の検出箇所を主制御部６−３に通知する。
主制御部６−３は、画像不良があるかを判定し（ステップｓ１０９）、画像不良がある場合（ステップｓ１０９、Ｙｅｓ）、主制御部６−３は、通知部６−８へ異常の通知を指示する。通知部６−８は異常画像を通知する（ステップｓ１１０）。次に、プルーフ印刷であるかを判定する（ステップｓ１１１）。
【０１２０】
プルーフ印刷である場合（ステップｓ１１１、Ｙｅｓ）、すなわち正解画像生成モードである場合、異常と判定された画像を操作部１４０等に表示し、指示部６−２を通じてユーザーにより正常／異常の判定を受け付け、正常の確定操作がユーザーによりなされたかを判定する（ステップｓ１１２）。
ユーザーが正常であると指定しなかった場合（ステップｓ１１２、Ｎｏ）、すなわち異常であると指定した場合、読取装置２０で読み取った第２ページメモリ１２２Ｂ中の読取画像を削除する（ステップｓ１１３）。ユーザーが正常であると指定した場合（ステップｓ１１２、Ｙｅｓ）、画像検査部６−６によって異常が検出され、指示部６−２により正常であると指定された読取画像を、記憶部６−７に保存する（ステップｓ１１４）。ステップｓ１１３またはステップｓ１１４の後、異常検知画像をリカバリ印刷対象とする（ステップｓ１１５）。ここでは、主制御部６−３は、画像検査部６−６により異常が検出され、かつ、指示部６−２により異常と確定された画像のリカバリ印刷を行う。
【０１２１】
ステップｓ１１１において、プルーフ印刷であるとする判定がされなかった場合（ステップｓ１１１、Ｎｏ）、すなわちジョブの本印刷である場合、ステップｓ１１５へ進み、異常検知画像をリカバリ印刷対象とする（ステップｓ１１５）。ここでは、主制御部６−３は、画像検査部６−６に異常と検出された画像のリカバリ印刷を行う。
【０１２２】
また、ステップｓ１０９において、画像検査の結果、画像の不良が検知されなかった場合（ステップｓ１０９、Ｎｏ）、正解画像を生成するためのプルーフ印刷であるかの判定を行い（ステップｓ１１６）、プルーフ印刷である場合（ステップｓ１１６、Ｙｅｓ）、すなわち正解画像生成モードである場合、読取画像を保存する（ステップｓ１１７）。プルーフ印刷でない場合は（ステップｓ１１６、Ｎｏ）、本出力であるため読取画像の保存は行わない。
ステップｓ１１５、ステップｓ１１７の後、または、ステップｓ１１６において、本印刷モードであると判定された場合（ステップｓ１１６、Ｎｏ）、全ページの印刷が終了したかを判定する（ステップｓ１１８）。全ページの出力が終了していない場合（ステップｓ１１８、Ｎｏ）、ステップｓ１０２に戻り、手順を繰り返す。
【０１２３】
全ページの出力が終了した場合（ステップｓ１１８、Ｙｅｓ）、挿入対象の画像を挿入したジョブが上書き登録の設定であるかを判定する（ステップｓ１１９）。上書き登録の設定である場合（ステップｓ１１９、Ｙｅｓ）、指示部６−２から指定されたジョブの挿入箇所に、ステップｓ１１４またはステップｓ１１７で保存した読取画像を登録する（ステップｓ１２０）。上書き登録の設定でない場合（ステップｓ１１９、Ｎｏ）、すなわち正解画像ジョブを新規登録する設定の場合、指定されたジョブの全ページをコピーし、指示部６−２から指定されたジョブの挿入箇所に、ステップｓ１１４またはステップｓ１１７で保存した読取画像を登録する（ステップｓ１２１）。
ステップｓ１２０またはステップｓ１２１の後、正解画像の削除指定があるかを判定する（ステップｓ１２２）。正解画像の削除指定がある場合（ステップｓ１２２、Ｙｅｓ）、指定された削除画像を記憶部６−７から削除し（ステップｓ１２３）、手順を終了する。正解画像の削除指定がない場合は（ステップｓ１２２、Ｎｏ）、そのまま手順を終了する。
【０１２４】
本実施形態によれば、ページの一部分を変更したジョブを実行する場合でも、変更後のジョブの画像を正解画像ジョブとし、本印刷を実行することができるようになる。
また、再印刷時のプルーフ印刷では、全ページのプルーフ印刷を行う必要がなくなるため、資材の節約となる。
【０１２５】
以上、本発明について上記実施形態に基づいて説明したが、本発明の範囲は上記実施形態に限定されるものではなく、本発明の範囲を逸脱しない限りは本実施形態に対する適宜の変更を行うことが可能である。
【符号の説明】
【０１２６】
１  画像形成装置
３  ＬＡＮ
５  外部装置
１０  装置本体
１１  画像形成部
１２  本体給紙部
１３  搬送路
２０  読取装置
２４  画像読取部
２５  画像読取部
５０  外部装置制御部
５１  外部装置操作部
１００  画像制御部
１１５  不揮発メモリ
１２７  記憶部
１４０  操作部
２００  読取制御部
１４００  印刷設定画面
１５００  印刷シート設定画面
１６００  画像検査レポート画面
１７００  画像検査設定画面
【図１】
2019136938.tif 000004
【図２】
2019136938.tif 000005
【図３】
2019136938.tif 000006
【図４】
2019136938.tif 000007
【図５Ａ】
2019136938.tif 000008
【図５Ｂ】
2019136938.tif 000009
【図５Ｃ】
2019136938.tif 000010
【図５Ｄ】
2019136938.tif 000011
【図６】
2019136938.tif 000012
【図７】
2019136938.tif 000013
【図８】
2019136938.tif 000014
【図９】
2019136938.tif 000015
【図１０】
2019136938.tif 000016
【図１１】
2019136938.tif 000017
【図１２】
2019136938.tif 000018
【図１３】
2019136938.tif 000019
【図１４】
2019136938.tif 000020
【図１５】
2019136938.tif 000021
【図１６】
2019136938.tif 000022
【図１７】
2019136938.tif 000023
【図１８】
2019136938.tif 000024